(57)【要約】【課題】ルームユニットを建築物の床スラブ上に複数設置する工法において、ルームユニットの設置高さ位置の調節を容易にして、短時間で効率的にルームユニットの設置を可能にするルームユニット支持脚用後調整部材、後調整部材付きルームユニット支持脚、後調整機能付きルームユニット支持脚、ルームユニットの設置高さ調整方法を提供する。【解決手段】建築物の床スラブ上にルームユニットを設置する際に、前記床スラブと前記ルームユニットとの間に配置される伸縮可能なルームユニット支持脚に取り付けられるルームユニット支持脚用後調整部材であって、前記ルームユニット支持脚に接する底面と、前記ルームユニットに対面する天面との間の高さが伸長可能な伸長部と、該伸長部の伸長を前記ルームユニットの外側から行う伸長操作手段と、を備えた。【選択図】図２
2020183650.tif 000002
【特許請求の範囲】
【請求項１】
建築物の床スラブの上にルームユニットを設置する際に、前記床スラブと前記ルームユニットとの間に配置される伸縮可能なルームユニット支持脚に取り付けられるルームユニット支持脚用後調整部材であって、
前記ルームユニット支持脚に接する底面と、前記ルームユニットに対面する天面との間の高さが伸長可能な伸長部と、該伸長部の伸長を前記ルームユニットの外側から行う伸長操作手段と、を備えたことを特徴とするルームユニット支持脚用後調整部材。
【請求項２】
前記伸長部は、内部空間に流体を注入することで、該内部空間の体積が前記高さ方向に膨張可能な中空体を備えたことを特徴とする請求項１記載のルームユニット支持脚用後調整部材。
【請求項３】
前記伸長操作手段は、一端が前記内部空間に接続された流体注入管と、該流体注入管を介して前記内部空間に流体を注入する流体注入部とを有し、前記流体注入管は、その他端が前記ルームユニットの外側から前記流体の注入作業が可能な位置まで延びることを特徴とする請求項２記載のルームユニット支持脚用後調整部材。
【請求項４】
前記伸長部は、前記高さ方向に傾斜した第１傾斜面を有する第１傾斜部材と、前記高さ方向に傾斜し、前記第１傾斜面に対して移動可能に接する第２傾斜面を有し、該第２傾斜面の傾斜方向が前記第１傾斜面に対して逆になるように配された第２傾斜部材とを備えたことを特徴とする請求項１記載のルームユニット支持脚用後調整部材。
【請求項５】
前記伸長操作手段は、前記第１傾斜面に対する前記第２傾斜面の接する位置を傾斜方向に沿って可変させる操作部材を有することを特徴とする請求項４記載のルームユニット支持脚用後調整部材。
【請求項６】
請求項１ないし５いずれか一項記載のルームユニット支持脚用後調整部材と、前記ルームユニット支持脚とを有する後調整部材付きルームユニット支持脚であって、
前記ルームユニット支持脚は、前記床スラブに接する第１底板および該第１底板から立ち上がる第１側壁を有する第１基体と、該第１基体の上面を覆い、前記ルームユニット支持脚用後調整部材が設けられる第１天板および該第１天板から垂下し前記第１側壁に摺動可能に接する第２側壁を有する第１蓋体と、を備え、
前記第１底板、前記第１側壁、前記第２側壁、前記第１天板によって内部空間が区画され、
前記第１基体に対して前記第１蓋体を鉛直方向に沿った任意の高さ位置で固定することにより前記ルームユニットの設置高さを調整可能にすることを特徴とする後調整部材付きルームユニット支持脚。
【請求項７】
前記第１側壁、前記第２側壁、前記第１天板のうち少なくとも１つには、前記内部空間に連通する第１貫通孔が形成されていることを特徴とする請求項６記載の後調整部材付きルームユニット支持脚。
【請求項８】
建築物の床スラブの上にルームユニットを設置する際に、前記床スラブに設置され、前記ルームユニットを受け止める後調整機能付きルームユニット支持脚であって、
前記床スラブに接する第２底板および該第２底板から立ち上がる第３側壁を有する第２基体と、該第２基体の上面を覆い、前記ルームユニットに接する第２天板および該第２天板から垂下し前記第３側壁に摺動可能に接する第４側壁を有する第２蓋体と、を備え、
前記第２底板、前記第３側壁、前記第４側壁、前記第２天板によって内部空間が区画され、
前記第３側壁、及び前記第４側壁は円周面を成し、前記円周面には周回方向に沿ってネジ溝が形成され、
前記第２蓋体を前記ルームユニットの外側から回転させる回転操作手段が形成され、前記第２基体に対して前記第２蓋体を鉛直方向に沿った任意の高さ位置で固定することにより前記ルームユニットの設置高さを調整可能にすることを特徴とする後調整機能付きルームユニット支持脚。
【発明の詳細な説明】
【技術分野】
【０００１】
本発明は、屋内設備をユニット化したルームユニットを建築物の床スラブ上に設置する際に、ルームユニットの高さ位置を調節するためのルームユニット支持脚用後調整部材、後調整部材付きルームユニット支持脚、後調整機能付きルームユニット支持脚、およびルームユニットの設置高さ調整方法に関する。
【背景技術】
【０００２】
従来、例えばマンションやホテルなどの建築物では、システムキッチン，トイレ，バスユニット，洗面化粧台，クローゼットなどの屋内設備を、それぞれ独立した部材として搬入して建築現場で組み立て、建物躯体に据え付けていた。しかし、このような屋内設備の構成部品を現場で組み立てて据え付ける工法では、人件費の増大による建設コストの上昇、工事期間の長期化、品質のバラツキ等、様々な課題が生じている。
【０００３】
上述した課題を解決する方法として、予め工場などで屋内設備などを組み込んだルームユニットを製造し、このルームユニットを建築物の床スラブ上に複数設置する工法が知られている（例えば、特許文献１を参照）。こうしたルームユニットを用いることにより、建築現場では、複数のルームユニットを設置して互いに連結し、必要に応じてルームユニットに電気配線や上下水道の配管を接続するだけで、短期間に屋内設備（内装）を完成させることができる。
【先行技術文献】
【特許文献】
【０００４】
【特許文献１】特開平８−３１２１６８号公報
【発明の概要】
【発明が解決しようとする課題】
【０００５】
しかしながら、上述したルームユニットを建築物の床スラブ上に複数設置する工法では、建築物の床スラブが必ずしも均一な水平面であるとは限らないため、隣接配置するルームユニットどうしの高さ位置を合致させて、ユニット床面どうしを段差なく接続するための高さ調節に多くの手間が掛かるという課題があった。
特に、ルームユニットの設置前に床スラブ上にルームユニットを水平に支持するための支持部材などを複数配置したとしても、ルームユニットの設置後にこれら複数の支持部材のうち、いくつかの支持部材はルームユニットとの間に隙間が生じてしまうこともある。この場合、特定の支持部材にルームユニットの荷重が過剰に加わり、支持部材の破損やルームユニットの歪みなどを生じさせる懸念もある。
【０００６】
本発明は、このような事情を考慮してなされたものであり、ルームユニットを建築物の床スラブ上に複数設置する工法において、ルームユニットの設置高さ位置の調節を容易にして、短時間で効率的にルームユニットの設置を可能にするルームユニット支持脚用後調整部材、後調整部材付きルームユニット支持脚、後調整機能付きルームユニット支持脚、ルームユニットの設置高さ調整方法を提供することを目的とする。
【課題を解決するための手段】
【０００７】
上記課題を解決するために、この発明は以下の手段を提案している。
即ち、本発明のルームユニット支持脚用後調整部材は、建築物の床スラブの上にルームユニットを設置する際に、前記床スラブと前記ルームユニットとの間に配置される伸縮可能なルームユニット支持脚に取り付けられるルームユニット支持脚用後調整部材であって、前記ルームユニット支持脚に接する底面と、前記ルームユニットに対面する天面との間の高さが伸長可能な伸長部と、該伸長部の伸長を前記ルームユニットの外側から行う伸長操作手段と、を備えたことを特徴とする。
【０００８】
また、本発明では、前記伸長部は、内部空間に流体を注入することで、該内部空間の体積が前記高さ方向に膨張可能な中空体を備えていてもよい。
【０００９】
また、本発明では、前記伸長操作手段は、一端が前記内部空間に接続された流体注入管と、該流体注入管を介して前記内部空間に流体を注入する流体注入部とを有し、前記流体注入管は、その他端が前記ルームユニットの外側から前記流体の注入作業が可能な位置まで延びていてもよい。
【００１０】
また、本発明では、前記伸長部は、前記高さ方向に傾斜した第１傾斜面を有する第１傾斜部材と、前記高さ方向に傾斜し、前記第１傾斜面に対して移動可能に接する第２傾斜面を有し、該第２傾斜面の傾斜方向が前記第１傾斜面に対して逆になるように配された第２傾斜部材とを備えていてもよい。
【００１１】
また、本発明では、前記伸長操作手段は、前記第１傾斜面に対する前記第２傾斜面の接する位置を傾斜方向に沿って可変させる操作部材を有していてもよい。
【００１２】
本発明の後調整部材付きルームユニット支持脚は、前記各項記載のルームユニット支持脚用後調整部材と、前記ルームユニット支持脚とを有する後調整部材付きルームユニット支持脚であって、前記ルームユニット支持脚は、前記床スラブに接する第１底板および該第１底板から立ち上がる第１側壁を有する第１基体と、該第１基体の上面を覆い、前記ルームユニット支持脚用後調整部材が設けられる第１天板および該第１天板から垂下し前記第１側壁に摺動可能に接する第２側壁を有する第１蓋体と、を備え、前記第１底板、前記第１側壁、前記第２側壁、前記第１天板によって内部空間が区画され、前記第１基体に対して前記第１蓋体を鉛直方向に沿った任意の高さ位置で固定することにより前記ルームユニットの設置高さを調整可能にすることを特徴とする。
【００１３】
また、本発明では、前記第１側壁、前記第２側壁、前記第１天板のうち少なくとも１つには、前記内部空間に連通する第１貫通孔が形成されていてもよい。
【００１４】
本発明の後調整機能付きルームユニット支持脚は、建築物の床スラブの上にルームユニットを設置する際に、前記床スラブに設置され、前記ルームユニットを受け止める後調整機能付きルームユニット支持脚であって、前記床スラブに接する第２底板および該第２底板から立ち上がる第３側壁を有する第２基体と、該第２基体の上面を覆い、前記ルームユニットに接する第２天板および該第２天板から垂下し前記第３側壁に摺動可能に接する第４側壁を有する第２蓋体と、を備え、前記第２底板、前記第３側壁、前記第４側壁、前記第２天板によって内部空間が区画され、前記第３側壁、及び前記第４側壁は円周面を成し、前記円周面には周回方向に沿ってネジ溝が形成され、前記第２蓋体を前記ルームユニットの外側から回転させる回転操作手段が形成され、前記第２基体に対して前記第２蓋体を鉛直方向に沿った任意の高さ位置で固定することにより前記ルームユニットの設置高さを調整可能にすることを特徴とする。
【００１５】
また、本発明では、前記回転操作手段は、一端が前記第２蓋体に係着された紐状体であってもよい。
【００１６】
本発明の後調整機能付きルームユニット支持脚は、建築物の床スラブの上にルームユニットを設置する際に、前記床スラブに設置され、前記ルームユニットを受け止める後調整機能付きルームユニット支持脚であって、前記床スラブに接する第３底板および該第３底板から立ち上がる第４側壁を有する第３基体と、該第３基体の上面を覆い、前記ルームユニットに接する第３天板および該第３天板から垂下し前記第４側壁に摺動可能に接する第５側壁を有する第３蓋体と、を備え、前記第３底板、前記第４側壁、前記第５側壁、前記第３天板によって内部空間が区画され、前記第４側壁には前記内部空間に連通する管状部が形成され、前記第３天板の中央部分には凹部が形成され、該凹部の周縁には前記内部空間に連通する第２貫通孔が形成されていることを特徴とする。
【００１７】
本発明のルームユニットの設置高さ調整方法は、前記各項記載の後調整部材付きルームユニット支持脚を用いたルームユニットの設置高さ調整方法であって、複数の前記後調整部材付きルームユニット支持脚を所定の間隔で前記床スラブに設置する設置工程と、複数の前記後調整部材付きルームユニット支持脚をそれぞれ構成する前記ルームユニット支持脚の前記第１基体に対して前記第１蓋体を任意の高さ位置に調整する前調整工程と、複数の前記後調整部材付きルームユニット支持脚に支持させるように前記ルームユニットを載置するルームユニット載置工程と、複数の前記後調整部材付きルームユニット支持脚のうち、前記ルームユニットと前記ルームユニット支持脚用後調整部材の前記天面との間に隙間が生じている前記後調整部材付きルームユニット支持脚について、前記伸長操作手段によって、前記天面が前記ルームユニットに接する位置まで前記伸長部を伸長させる後調整工程と、を備えたことを特徴とする。
【発明の効果】
【００１８】
本発明によれば、ルームユニットを建築物の床スラブ上に複数設置する工法において、ルームユニットの設置高さ位置の調節を容易にして、短時間で効率的にルームユニットの設置を可能にするルームユニット支持脚用後調整部材、後調整部材付きルームユニット支持脚、後調整機能付きルームユニット支持脚、ルームユニットの設置高さ調整方法を提供することが可能になる。
【図面の簡単な説明】
【００１９】
【図１】本発明のルームユニット支持脚用後調整部材を備えた後調整部材付きルームユニット支持脚とこれに支持されたルームユニットとを示す斜視図である。
【図２】本発明の第１実施形態の後調整部材付きルームユニット支持脚を示す外観斜視図である。
【図３】図２に示す後調整部材付きルームユニット支持脚の高さ方向に沿った断面図である。
【図４】後調整部材付きルームユニット支持脚を構成するルームユニット支持脚を示す外観斜視図である。
【図５】図５は、図４に示すルームユニット支持脚の高さ方向に沿った断面図である。
【図６】本発明の第２実施形態の後調整部材付きルームユニット支持脚を示す外観斜視図である。
【図７】図６に示す後調整部材付きルームユニット支持脚の高さ方向に沿った断面図である。
【図８】第２実施形態の後調整部材付きルームユニット支持脚の動作を示す断面図である。
【図９】本発明の第１実施形態の後調整機能付きルームユニット支持脚を示す斜視図である。
【図１０】図９に示す後調整機能付きルームユニット支持脚の高さ方向に沿った断面図である。
【図１１】本発明の一実施形態のルームユニットの設置高さ調整方法を段階的に示した説明図である。
【図１２】本発明の一実施形態のルームユニットの設置高さ調整方法を段階的に示した説明図である。
【図１３】本発明の一実施形態のルームユニットの設置高さ調整方法を段階的に示した説明図である。
【図１４】本発明の一実施形態のルームユニットの設置高さ調整方法を段階的に示した説明図である。
【発明を実施するための形態】
【００２０】
以下、図面を参照して、本発明の一実施形態のルームユニット支持脚用後調整部材、後調整部材付きルームユニット支持脚、後調整機能付きルームユニット支持脚、ルームユニットの設置高さ調整方法について説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００２１】
（ルームユニット支持脚用後調整部材、後調整部材付きルームユニット支持脚：第１実施形態）
図１は、本発明のルームユニット支持脚用後調整部材を備えた後調整部材付きルームユニット支持脚とこれに支持されたルームユニットとを示す斜視図である。
本実施形態の後調整部材付きルームユニット支持脚１は、建築物の床スラブＳ上に予め設定された支持脚設置位置に設置され、例えばルームユニットＵの下側梁ＵＢに接して、床スラブＳから所定の高さ位置でルームユニットＵを支持する。こうした後調整部材付きルームユニット支持脚１は、下側梁ＵＢに沿って所定の間隔をあけて複数個配置され、複数個の後調整部材付きルームユニット支持脚１，１…によってルームユニットＵを支持する。例えば、１つの重量が３トン〜５トン程度のルームユニットＵを、１２個〜１５個の後調整部材付きルームユニット支持脚１によって支持する。
【００２２】
図２は、本発明の第１実施形態の後調整部材付きルームユニット支持脚を示す外観斜視図である。図３は、図２に示す後調整部材付きルームユニット支持脚の高さ方向に沿った断面図である。
後調整部材付きルームユニット支持脚１は、本発明のルームユニット支持脚用後調整部材２と、ルームユニット支持脚１０とを備えている。なお、ルームユニット支持脚用後調整部材２とルームユニット支持脚１０とは、互いに一体に形成されていても、それぞれ個別に形成されたものを接合したものであってもよい。本実施形態の後調整部材付きルームユニット支持脚１は、ルームユニット支持脚用後調整部材２とルームユニット支持脚１０とが互いに分離可能に形成されている。
【００２３】
ルームユニット支持脚用後調整部材２は、例えば略筒状を成す中空体（伸長部）３を備えている。中空体（伸長部）３は、ルームユニット支持脚１０に接する底面３ａと、ルームユニットＵ（図１参照）に対面する天面３ｂとの間の高さが伸長可能にされている。本実施形態では、中空体（伸長部）３の周面３ｒは、伸縮自在な蛇腹状に形成されている。
【００２４】
中空体（伸長部）３は、蛇腹状の周面３ｒ、底面３ａ、および天面３ｂで区画された内部空間Ｅ１に気体や液体などの流体を注入することで、内部空間Ｅ１の体積を高さ方向に膨張させ、底面３ａと天面３ｂとの間の高さを伸長させることができる。本実施形態では、流体として機械油を用い、油圧によって中空体（伸長部）３の内部空間Ｅ１を膨張させている。なお、内部空間Ｅ１に導入する流体としては、機械油以外にも、スラリー状のセメント、未硬化の接着剤、圧搾空気なとを用いることができ、流体の種類が限定されるものでは無い。
【００２５】
中空体（伸長部）３には、一端が内部空間Ｅ１に接続され他端がルームユニットＵ（図１参照）の外側に延びる流体注入管５が形成されている。即ち、流体注入管５の他端は、ルームユニットＵを上から俯瞰した時に、ルームユニットＵの外周面よりも外側に位置するように形成されている。本実施形態の流体注入管５は、例えば耐圧性および耐油性のチューブから構成される。また、この流体注入管５の一端側には、逆止弁９が形成されていることが好ましい。
【００２６】
また、流体注入管５の他端は、ルームユニットＵの外側から機械油を注入作業が可能な位置まで延びている。そして、流体注入管５の他端には、この流体注入管５を介して中空体（伸長部）３の内部空間Ｅ１に流体である機械油を注入するための流体注入部６が接続されている。本実施形態では、流体注入部６は、例えば、油槽Ｔと、油圧送ポンプＰなどから構成されていればよい。本実施形態では、こうした流体注入管５および流体注入部６によって、中空体（伸長部）３の伸長をルームユニットＵの外側から行う伸長操作手段７を構成している。
【００２７】
図４は、後調整部材付きルームユニット支持脚を構成するルームユニット支持脚を示す外観斜視図である。図５は、図４に示すルームユニット支持脚の高さ方向に沿った断面図である。
ルームユニット支持脚１０は、外形形状が略円筒形を成し、上面１１ｔが例えば開放面を成す第１基体１１と、第１基体１１の上面（開放面）１１ｔを覆う第１蓋体２１とを有する。第１基体１１は、使用時において床スラブＳに接する第１底板１２と、この第１底板１２から立ち上がり、所定の領域、本実施形態では円柱状の空間を区画する円筒形の第１側壁１３とを備えている。なお、この第１底板１２と第１側壁１３とは、同一の材料、例えば硬質樹脂で一体に形成されていればよい。
【００２８】
第１底板１２の第１側壁１３よりも外側には、複数の係合穴１４が形成されている。こうした係合穴１４に、第１底板１２と床スラブＳとを結合させる締結部材Ｇ、例えばコンクリート釘やネジを貫通させることで、第１基体１１を床スラブＳに締結させることができる。なお、こうした係合穴１４を特に設けずに、両面テープなどでルームユニット支持脚１０を床スラブＳに固定することもできる。
【００２９】
第１基体１１の第１側壁１３の内周面（円周面）１３ａには、内周面１３ａの周回方向に沿って螺旋状に内ネジ（ネジ溝）１６が形成されている。こうした内ネジ（ネジ溝）１６は、本実施形態のように内周面１３ａ全体に形成されている以外にも、例えば、上面１１ｔから第１底板１２に向かって所定の範囲まで形成されていてもよい。
【００３０】
第１蓋体２１は、第１基体１１の開放面である上面１１ｔを覆う第１天板２２と、この第１天板２２から垂下し、第１基体１１の第１側壁１３の内周面１３ａに対して摺動可能に接する円筒形の第２側壁２３とを備えている。なお、この第１天板２２と第２側壁２３とは、同一の材料、例えば硬質樹脂で一体に形成されていればよい。
【００３１】
第１天板２２は、例えば円板状の部材であり、この第１天板２２の上面２２ａに、前述したルームユニット支持脚用後調整部材２が形成されている。ルームユニット支持脚１０を構成する第１天板２２と、ルームユニット支持脚用後調整部材２を構成する中空体（伸長部）３の底面３ａとは、一体に形成されていても、着脱自在に形成されていても良い。ルームユニット支持脚用後調整部材２をルームユニット支持脚１０とは別体に用いる場合には、ルームユニット支持脚１０の第１天板２２の上面２２ａに、ルームユニット支持脚用後調整部材２を係止するための係止部材（図示略）などが形成されていることも好ましい。
【００３２】
ルームユニット支持脚用後調整部材２をルームユニット支持脚１０とは別体に形成する場合、ルームユニット支持脚１０の第１天板２２には、上面２２ａと、第１蓋体２１の内面を成す下面２２ｂとの間を貫通し、後述する内部空間Ｅ２に連通する第１貫通孔を成す注入孔（第１貫通孔）２４と空気孔（第１貫通孔）２５とが形成されている。本実施形態では、注入孔２４は、第１天板２２の中心に１箇所形成され、また空気孔２５は、第１天板２２の周縁の近くに等間隔で４箇所形成されている。なお、本実施形態では、第１貫通孔として注入孔２４と空気孔２５とを形成しているが、これらを兼用した径の大きい第１貫通孔とすることもできる。
【００３３】
第１蓋体２１を構成する第１天板２２に形成された注入孔（第１貫通孔）２４は、第１基体１１の第１底板１２および第１側壁１３と、第１蓋体２１の第１天板２２および第２側壁２３とで区画されるルームユニット支持脚１０の内部空間Ｅ２に硬化性材料Ｂを充填するための穴である。また、空気孔（第１貫通孔）２５は、内部空間Ｅ２に硬化性材料Ｂを充填する際に、内部空間Ｅ２の空気をルームユニット支持脚１０の外部に出すための穴である。なお、こうした注入孔２４や空気孔２５の形成数や形成位置は本実施形態に限らず、任意の位置に任意の数だけ形成することができる。
【００３４】
なお、ルームユニット支持脚用後調整部材２とルームユニット支持脚１０とが一体に形成された後調整部材付きルームユニット支持脚１の場合には、上述した注入孔（第１貫通孔）２４や空気孔（第１貫通孔）２５は、ルームユニット支持脚用後調整部材２の中空体（伸長部）３に重ならない第１蓋体２１の第２側壁２３などに形成されていればよい。
【００３５】
第１蓋体２１の第２側壁２３の外周面（円周面）２３ｂには、外周面２３ｂの周回方向に沿って螺旋状に外ネジ（ネジ溝）２６が形成されている。こうした外ネジ（ネジ溝）２６は、第１基体１１の第１側壁１３に形成された内ネジ（ネジ溝）１６と螺合する。これにより、例えば、床スラブＳに固定された第１基体１１に対して、第１蓋体２１を回転させることにより、第１天板２２の高さ位置、即ち、ルームユニット支持脚１０の高さを自在に可変させることができる。
【００３６】
なお、後調整部材付きルームユニット支持脚１を構成するルームユニット支持脚１０は、使用時において、第１蓋体２１を回転させて高さ位置を調節した後、注入孔２４から内部空間Ｅ２内を埋める（閉塞する）ように、硬化前の流動性の硬化性材料Ｂが充填され、その後、硬化される。こうした硬化性材料Ｂを内部空間Ｅ２内に充填、および硬化させることで、ルームユニット支持脚１０の強度が保たれ、かつ、第１蓋体２１の回動を防止する。硬化性材料Ｂとしては、例えば、２液混合によって硬化する硬化剤や、熱や紫外線を加えることによって硬化する硬化剤や水和反応によって硬化する硬化剤など、各種の硬化剤が適用可能であり、限定されるものでは無い。
【００３７】
以上のような構成の後調整部材付きルームユニット支持脚１は、第１基体１１に対して第１蓋体２１を鉛直方向に沿った任意の高さ位置で固定することによりルームユニットＵの設置高さを調整可能にする。即ち、第１蓋体２１を回転させて複数のルームユニット支持脚１０の高さを揃えた後、注入孔２４から内部空間Ｅ２内に流動性の硬化性材料Ｂを充填して硬化させる。
【００３８】
そして、ルームユニット支持脚１０にルームユニット支持脚用後調整部材２を重ねて載置してからルームユニットＵを設置するだけで、ルームユニットＵの設置高さ位置を容易に所望の位置にすることが可能になる。これによって、ルームユニットＵの設置高さ位置の調整が容易になり、床スラブＳ上に、互いの設置高さ位置が揃った複数のルームユニットＵを短時間で効率的に設置することが可能になる。
【００３９】
そして、複数の後調整部材付きルームユニット支持脚１に渡ってルームユニットＵを設置したのち、特定の後調整部材付きルームユニット支持脚１のルームユニット支持脚用後調整部材２とルームユニットＵとの間に隙間が形成されている場合には、隙間が生じた後調整部材付きルームユニット支持脚１のルームユニット支持脚用後調整部材２を用いてこの隙間を解消する。
【００４０】
即ち、ルームユニットＵとの間に隙間が生じているルームユニット支持脚用後調整部材２の中空体（伸長部）３の内部空間Ｅ１に、流体注入部６から流体注入管５を介して流体、例えば機械油を注入する。これによって中空体（伸長部）３の内部空間Ｅ１が油圧によって高さ方向に膨張する。
【００４１】
そして、中空体（伸長部）３の天面３ｂがルームユニットＵの下側梁ＵＢに接するまで中空体（伸長部）３を膨張させれば、ルームユニットＵとルームユニット支持脚用後調整部材２の間の隙間を解消できる。全ての後調整部材付きルームユニット支持脚１が隙間なくルームユニットＵに接することで、ルームユニットＵが傾くことなく水平に安定して支持でき、かつ特定の後調整部材付きルームユニット支持脚１に過剰な荷重が加わることを防止できる。
【００４２】
（ルームユニット支持脚用後調整部材、後調整部材付きルームユニット支持脚：第２実施形態）
図６は、本発明の第２実施形態の後調整部材付きルームユニット支持脚を示す外観斜視図である。図７は、図６に示す後調整部材付きルームユニット支持脚の高さ方向に沿った断面図である。
なお、本実施形態では、後調整部材付きルームユニット支持脚を構成するルームユニット支持脚は、第１実施形態と同様のものを用いており、重複する詳細な説明は省略する。
本実施形態では、後調整部材付きルームユニット支持脚３１は、ルームユニット支持脚１０と、ルームユニット支持脚用後調整部材３２とから構成されている。
【００４３】
ルームユニット支持脚用後調整部材３２は、互いに対面して摺動可能に形成された第１傾斜部材３４と第２傾斜部材３５とを有する伸長部３３を備えている。
第１傾斜部材３４は、例えば一面が傾斜面を成す矩形で略平板状の部材であり、全体が例えば樹脂材料で形成されている。第１傾斜部材３４は、他面３４ｂに対して所定の角度で高さ方向に傾斜した第１傾斜面３４ａを有する。第１傾斜部材３４の他面３４ｂは、ルームユニット支持脚１０の第１蓋体２１に接する。
【００４４】
第２傾斜部材３５は、例えば一面が傾斜面を成す矩形で略平板状の部材であり、全体が例えば樹脂材料で形成されている。第２傾斜部材３５は、他面３５ｂに対して所定の角度で高さ方向に傾斜した第２傾斜面３５ａを有する。第２傾斜部材３５の他面３５ｂは、ルームユニットＵの下側梁ＵＢ（図１参照）に接する。即ち、第１傾斜部材３４の他面３４ｂと第２傾斜部材３５の他面３５ｂとは、後調整部材付きルームユニット支持脚３１の使用時においては、略水平に広がる面となる。
【００４５】
第１傾斜部材３４の第１傾斜面３４ａと第２傾斜部材３５の第２傾斜面３５ａとは、傾斜方向が互いに逆方向になるように傾斜している。これにより、第１傾斜面３４ａと第２傾斜面３５ａとが摺動可能に接した状態では、第１傾斜部材３４の他面３４ｂと第２傾斜部材３５の他面３５ｂとは互いに平行な略水平面を成す。
【００４６】
このように、第１傾斜部材３４と第２傾斜部材３５とは、互いに傾斜面どうしを向き合わせることによって、例えば、図８に示すように、第１傾斜部材３４に対して第２傾斜部材３５を第２傾斜面３５ａに沿って摺動させることで、第１傾斜部材３４と第２傾斜部材３５との合計厚みであるルームユニット支持脚用後調整部材３２の高さ、即ち第１傾斜部材３４の他面３４ｂと第２傾斜部材３５の他面３５ｂとの間の距離を増加させることができる。
【００４７】
第１傾斜部材３４の第１傾斜面３４ａおよび第２傾斜部材３５の第２傾斜面３５ａには、それぞれ互いに嵌合する断面三角形の突条３６ａ，３７ａが多数配列されてなる係合部材３６，３７が形成されている。このような係合部材３６と係合部材３７との噛合によって、第１傾斜部材３４と第１傾斜面３４ａと第２傾斜面３５ａとが任意の位置で係止される。
【００４８】
第１傾斜部材３４に対して第２傾斜部材３５を第２傾斜面３５ａに沿って摺動させる際には、第１傾斜面３４ａに形成された突条３６ａを、第２傾斜面３５ａに形成された突条３７ａが乗り越えるように移動する。
【００４９】
なお、本実施形態では、突条３６ａ，３７ａの三角形の断面形状は、一方の辺が第１傾斜面３４ａや第２傾斜面３５ａに対して９０°を成し、他方の辺が第１傾斜面３４ａや第２傾斜面３５ａに対して９０°未満の角度で傾斜している。これによって、第１傾斜部材３４に対して第２傾斜部材３５を、他面３４ｂと他面３５ｂとの間の距離が増加させる方向には摺動可能であるが、これとは逆方向への摺動は抑止される。
【００５０】
第２傾斜部材３５の端部には、伸長操作手段である紐部材（操作部材）３８の一端３８ａが係着されている。紐部材（操作部材）３８は、例えば繊維や樹脂からなる紐、あるいは金属製のワイヤなどから構成される。こうした紐部材（操作部材）３８の他端３８ｂは、ルームユニットＵ（図１参照）の外側に延びるように配置される。即ち、紐部材（操作部材）３８の他端３８ｂは、ルームユニットＵを上から俯瞰した時に、ルームユニットＵの外周面よりも外側に位置するように配置される。
【００５１】
以上のような構成のルームユニット支持脚用後調整部材３２を備えた後調整部材付きルームユニット支持脚３１は、第１実施形態のルームユニット支持脚１０と同様に、ルームユニット支持脚１０の高さを調整した後、本実施形態のルームユニット支持脚用後調整部材３２をルームユニット支持脚１０に重ねて載置する。そして、複数の後調整部材付きルームユニット支持脚３１に渡って支持されるようにルームユニットＵを設置したのち、特定の後調整部材付きルームユニット支持脚３１のルームユニット支持脚用後調整部材３２とルームユニットＵとの間に隙間が形成されている場合には、隙間が生じた後調整部材付きルームユニット支持脚３１のルームユニット支持脚用後調整部材３２を用いてこの隙間を解消する。
【００５２】
即ち、ルームユニットＵとの間に隙間が生じているルームユニット支持脚用後調整部材３２を構成する第２傾斜部材３５に係着された紐部材（操作部材）３８を引っ張り、第２傾斜部材３５を第１傾斜部材３４に対して、第１傾斜面３４ａや第２傾斜面３５ａに沿って摺動させる。これにより、第１傾斜部材３４と第２傾斜部材３５との係合位置が変化し、他面３４ｂと他面３５ｂとの間の距離が広がり、ルームユニット支持脚用後調整部材３２の高さが増加する。
【００５３】
これにより、ルームユニットＵとルームユニット支持脚用後調整部材３２の間の隙間を解消できる。全ての後調整部材付きルームユニット支持脚３１が隙間なくルームユニットＵに接することで、ルームユニットＵが傾くことなく水平に安定して支持でき、かつ特定の後調整部材付きルームユニット支持脚３１に過剰な荷重が加わることを防止できる。
【００５４】
（後調整機能付きルームユニット支持脚）
図９は、本発明の後調整機能付きルームユニット支持脚の一例を示す斜視図である。また、図１０は、図９に示す後調整機能付きルームユニット支持脚の高さ方向に沿った断面図である。
本発明の後調整機能付きルームユニット支持脚４０は、外形形状が略円筒形を成し、上面４１ｔが例えば開放面を成す第２基体４１と、第２基体４１の上面（開放面）４１ｔを覆う第２蓋体５１とを有する。第２基体４１は、使用時において床スラブＳに接する第２底板４２と、この第２底板４２から立ち上がり、所定の領域、本実施形態では円柱状の空間を区画する円筒形の第３側壁４３とを備えている。なお、この第２底板４２と第３側壁４３とは、同一の材料、例えば硬質樹脂で一体に形成されていればよい。
【００５５】
第２底板４２の第３側壁４３よりも外側には、複数の係合穴４４が形成されている。こうした係合穴４４に、第２底板４２と床スラブＳとを結合させる締結部材Ｇ、例えばコンクリート釘やネジを貫通させることで、第２基体４１を床スラブＳに締結させることができる。なお、こうした係合穴４４を特に設けずに、両面テープなどで後調整機能付きルームユニット支持脚４０を床スラブＳに固定することもできる。
【００５６】
第２基体４１の第３側壁４３の内周面（円周面）４３ａには、内周面４３ａの周回方向に沿って螺旋状に内ネジ（ネジ溝）４６が形成されている。こうした内ネジ（ネジ溝）４６は、本実施形態のように内周面４３ａ全体に形成されている以外にも、例えば、上面４１ｔから第２底板４２に向かって所定の範囲まで形成されていてもよい。
【００５７】
第２蓋体５１は、第２基体４１の開放面である上面４１ｔを覆う第２天板５２と、この第２天板５２から垂下し、第２基体４１の第３側壁４３の内周面４３ａに対して摺動可能に接する円筒形の第４側壁５３とを備えている。なお、この第２天板５２と第４側壁５３とは、同一の材料、例えば硬質樹脂で一体に形成されていればよい。
【００５８】
第２天板５２は、例えば円板状の部材であり、後調整機能付きルームユニット支持脚４０の使用時において、第２天板５２の上面５２ａがルームユニットＵの下側梁ＵＢに接する。
【００５９】
後調整機能付きルームユニット支持脚４０の第２天板５２には、上面５２ａと、第２蓋体５１の内面を成す下面５２ｂとの間を貫通し、後述する内部空間Ｅ３に連通する第１貫通孔を成す注入孔（第１貫通孔）５４と空気孔（第１貫通孔）５５とが形成されている。本実施形態では、注入孔５４は、第２天板５２の中心に１箇所形成され、また空気孔５５は、第２天板５２の周縁の近くに等間隔で４箇所形成されている。なお、本実施形態では、第１貫通孔として注入孔５４と空気孔５５とを形成しているが、これらを兼用した径の大きい第１貫通孔とすることもできる。
【００６０】
第２蓋体５１を構成する第２天板５２に形成された注入孔（第１貫通孔）５４は、第２基体４１の第２底板４２および第３側壁４３と、第２蓋体５１の第２天板５２および第４側壁５３とで区画される後調整機能付きルームユニット支持脚４０の内部空間Ｅ３に硬化性材料Ｂを充填するための穴である。また、空気孔（第１貫通孔）５５は、内部空間Ｅ３に硬化性材料Ｂを充填する際に、内部空間Ｅ３の空気を後調整機能付きルームユニット支持脚４０の外部に出すための穴である。なお、こうした注入孔５４や空気孔５５の形成数や形成位置は本実施形態に限らず、任意の位置に任意の数だけ形成することができる。
【００６１】
第２蓋体５１の第４側壁５３の外周面（円周面）５３ｂには、外周面５３ｂの周回方向に沿って螺旋状に外ネジ（ネジ溝）５６が形成されている。こうした外ネジ（ネジ溝）５６は、第２基体４１の第３側壁４３に形成された内ネジ（ネジ溝）４６と螺合する。これにより、例えば、床スラブＳに固定された第２基体４１に対して、第２蓋体５１を回転させることにより、第２天板５２の高さ位置、即ち、後調整機能付きルームユニット支持脚４０の高さを自在に可変させることができる。
【００６２】
なお、後調整機能付きルームユニット支持脚４０は、使用時において、第２蓋体５１を回転させて高さ位置を調節した後、注入孔５４から内部空間Ｅ３内を埋める（閉塞する）ように、硬化前の流動性の硬化性材料Ｂが充填され、その後、硬化される。硬化性材料Ｂとしては、例えば、２液混合によって硬化する硬化剤や、熱や紫外線を加えることによって硬化する硬化剤など、各種の硬化剤が適用可能であり、限定されるものでは無い。
【００６３】
第２蓋体５１の外周面５３ｂの任意の位置には、回転操作手段である紐状体（回転操作手段）５９の一端５９ａが係着されている。また、紐状体５９の他端５９ｂは、ルームユニットＵ（図１参照）の外側に延びるように配置される。即ち、紐状体５９の他端５９ｂは、ルームユニットＵを上から俯瞰した時に、ルームユニットＵの外周面よりも外側に位置するように配置される。
【００６４】
こうした紐状体５９は、例えば繊維や樹脂からなる紐、あるいは金属製のワイヤなどから構成される。そして、紐状体５９は、後調整を行う前の状態においては、第２蓋体５１の外周面５３ｂに沿って数回、巻き回されてからルームユニットＵ（図１参照）の外側に延びるように配置される。
【００６５】
以上のような構成の後調整機能付きルームユニット支持脚４０は、複数配置された後調整機能付きルームユニット支持脚４０の高さを所望の位置まで調整した後、複数の後調整部材付きルームユニット支持脚３１に渡って支持されるようにルームユニットＵを設置する。そして、特定の後調整機能付きルームユニット支持脚４０とルームユニットＵとの間に隙間が形成されている場合には、第２蓋体５１を更に回転させて隙間を解消し、第２蓋体５１を構成する第２天板５２の上面５２ａをルームユニットＵの下側梁ＵＢに接するようにする。
【００６６】
具体的には、ルームユニットＵとの間に隙間が生じている後調整機能付きルームユニット支持脚４０の第２蓋体５１の外周面５３ｂに巻き回されている紐状体５９の他端５９ｂ側を引っ張る。これにより、第２蓋体５１が回転し、第２蓋体５１は外ネジ（ネジ溝）５６と内ネジ（ネジ溝）４６との螺合よって、より高い位置に上昇する。なお、紐状体５９は、あらかじめ想定される最大隙間を解消するために必要な第２蓋体５１の回転数以上の回数だけ、第２蓋体５１の外周面５３ｂに巻き回しておけばよい。
【００６７】
これにより、ルームユニットＵと後調整機能付きルームユニット支持脚４０との間の隙間を解消できる。全ての後調整機能付きルームユニット支持脚４０が隙間なくルームユニットＵに接することで、ルームユニットＵが傾くことなく水平に安定して支持でき、かつ特定の後調整部材付きルームユニット支持脚に過剰な荷重が加わることを防止できる。
【００６８】
（ルームユニットの設置高さ調整方法）
上述した第１実施形態の後調整部材付きルームユニット支持脚１を用いた、ルームユニットの設置高さ調整方法の一例について説明する。
図１１〜１３は、一実施形態のルームユニットの設置高さ調整方法を段階的に示した説明図である。
まず、図１１（ａ）に示すように、建築物の床スラブＳにおけるルームユニットＵを設置する領域に、後調整部材付きルームユニット支持脚１を構成する第１実施形態に示したルームユニット支持脚１０を所定の間隔で設置する（設置工程）。この時、床スラブＳにルームユニット支持脚の設置位置を予めマーカーなどで示しておくことが好ましい。
【００６９】
この後、設置したルームユニット支持脚１０の第１底板１２の周縁に形成された係合穴１４に締結部材Ｇを貫通させて、ルームユニット支持脚１０を床スラブＳに締結させておくことも好ましい。
【００７０】
次に、図１１（ｂ）に示すように、床スラブＳに設置したルームユニット支持脚１０の高さ調整を行う（前調整工程）。ルームユニット支持脚１０の高さ調整にあたっては、例えば、床スラブＳからルームユニット支持脚１０の第１天板２２の上面２２ａまでの高さ（設置高さ）を定規Ｋなどによって測定しつつ、ルームユニット支持脚１０の第１蓋体２１を回転させて、設置高さが予め設定した高さになるように、第１蓋体２１の高さを調節することによって行う。こうした前調整工程を設置した全てのルームユニット支持脚１０に対して行う。
【００７１】
前調整工程において全てのルームユニット支持脚１０の高さ調整が完了したら、次に、図１１（ｃ）に示すように、ルームユニット支持脚１０の内部空間Ｅ２内に硬化性材料Ｂを注入する（注入工程）。この注入工程では、第１蓋体２１が回転しないように注意しつつ、高さ調整済みのルームユニット支持脚１０の第１蓋体２１に形成された注入孔（第１貫通孔）２４から、例えば、２液混合硬化タイプの硬化性材料Ｂを注入し、空気孔（第１貫通孔）２５から内部空間Ｅ２内の空気を排出させて、内部空間Ｅ２内を硬化性材料Ｂで置換する。そして、所定の硬化時間以上保持して、内部空間Ｅ２内の硬化性材料Ｂを硬化させる（図１２（ａ）参照）。
【００７２】
次に、複数のルームユニット支持脚１０の第１蓋体２１に重ねて、後調整部材付きルームユニット支持脚１を構成するルームユニット支持脚用後調整部材２を載置する（図１２（ｂ）参照）。この時、図１３に示すように、全てのルームユニット支持脚用後調整部材２の中空体（伸長部）３からそれぞれ延びる流体注入管５を１つに纏めて、流体注入管５の他端５ｂ側をルームユニットＵの外周面よりも外側まで延ばし、流体注入部６を構成する油圧送ポンプＰを介して油槽Ｔに接続しておく。
【００７３】
次に、図１４に示すように、工場などで別途制作していたルームユニットＵを建築物内に運び込み、複数の後調整部材付きルームユニット支持脚１によって支持されるように床スラブＳ上に載置する。
【００７４】
このように、ルームユニットＵを設置した後の複数の後調整部材付きルームユニット支持脚１のうち、ルームユニットＵとルームユニット支持脚用後調整部材２の中空体（伸長部）３の天面３ｂとの間に隙間が生じている後調整部材付きルームユニット支持脚１について、天面３ｂがルームユニットＵに接する位置まで中空体（伸長部）３を伸長させる（後調整工程）。
【００７５】
具体的には、後調整工程では、伸長操作手段７である油圧送ポンプＰを動作させ、油槽Ｔから流体注入管５を経て、それぞれのルームユニット支持脚用後調整部材２の中空体（伸長部）３の内部空間Ｅ１内に機械油を注入する。そして、中空体（伸長部）３を油圧によって高さ方向に伸長させる。この時、ルームユニットＵと中空体（伸長部）３の天面３ｂとの間に隙間が無い後調整部材付きルームユニット支持脚１は、中空体（伸長部）３がそれ以上伸長することが無い。
【００７６】
一方、ルームユニットＵと中空体（伸長部）３の天面３ｂとの間に隙間がある後調整部材付きルームユニット支持脚１は、中空体（伸長部）３の伸長を負荷が無いので、天面３ｂがルームユニットＵに接するまで中空体（伸長部）３が油圧によって伸長する。
【００７７】
これにより、ルームユニットＵと中空体（伸長部）３の天面３ｂとの間に隙間がある後調整部材付きルームユニット支持脚１だけ、選択的に中空体（伸長部）３を伸長させ、全ての後調整部材付きルームユニット支持脚１をルームユニットＵに対して隙間なく密着させることができる。
【００７８】
こうして全ての後調整部材付きルームユニット支持脚１に隙間なく接するように設置されたルームユニットＵは、床スラブＳ上に所定の高さになるように調節された複数の後調整部材付きルームユニット支持脚１によって支持されるため、床スラブＳの表面に傾斜や凹凸が存在していても、ルームユニットＵを水平を保って設置することが可能になる。そして、複数のルームユニットＵどうしは、床面の連結部分に段差などが生じることなく、高さ位置が正確に合致した状態で接続することができる。
【００７９】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８０】
１…後調整部材付きルームユニット支持脚
２…ルームユニット支持脚用後調整部材
３…中空体（伸長部）
５…流体注入管
６…流体注入部
７…伸長操作手段
１０…ルームユニット支持脚
１１…第１基体
１２…底板
１３…第１側壁
２１…第１蓋体
２２…第１天板
２３…第２側壁
２４…注入孔（第１貫通孔）
２５…空気孔（第１貫通孔）
Ｅ１，Ｅ２，Ｅ３…内部空間
【図１】
2020183650.tif 000003
【図２】
2020183650.tif 000004
【図３】
2020183650.tif 000005
【図４】
2020183650.tif 000006
【図５】
2020183650.tif 000007
【図６】
2020183650.tif 000008
【図７】
2020183650.tif 000009
【図８】
2020183650.tif 000010
【図９】
2020183650.tif 000011
【図１０】
2020183650.tif 000012
【図１１】
2020183650.tif 000013
【図１２】
2020183650.tif 000014
【図１３】
2020183650.tif 000015
【図１４】
2020183650.tif 000016